(57)【要約】      （修正有）【課題】エアクリーナの容量の増大化を図ることができる自動二輪車を提供する。【解決手段】アッパフレーム１４の途中にサージパイプ３１が接続されている。アッパフレーム１４、リアアームブラケット１７及びシートフレーム１６とによって区画された装着空間２８にエアクリーナ２７を装着する。エアクリーナ２７のボックス本体からはアッパフレーム１４の後端部の外方を回り込んで吸気管３０が延出し、サージパイプ３１に接続されている。サージパイプ３１からは吸気ダクトを介して前側気筒１２あるいは後側気筒１３に混合気が供給されるようになっている。エアクリーナ２７はアッパフレーム１４に対するリアアームブラケット１７の接合部分の後方に配されるため、リアアームブラケット１７間の間隔寸法に制約されずにエアクリーナ２７の容量を拡大化することができる。【選択図】図２
0003158666.tif 000002
【実用新案登録請求の範囲】
【請求項１】
ヘッドパイプから車両後下方に延出するメインフレームが、エアクリーナからエンジンに至るまでの吸気経路中に含まれる自動二輪車であって、
前記メインフレーム内部に形成され、エンジン上方に位置するエアチャンバと、
前記エアチャンバと前記エンジン側とを接続する吸気ダクトと、
前記メインフレームのうち前記エンジン後方を下方に延びる部分の後方に配設されたエアクリーナと、
前記エアクリーナから、前記メインフレームの車幅方向外方を通って前記エアチャンバと連通するよう配管された吸気管とを備えてなることを特徴とする自動二輪車。
【請求項２】
前記アッパフレームの後端部には、前記エアクリーナの上方をシートフレームが後方へ向けて延出する一方、
前記エアクリーナの上面部における車幅方向両側部は、前記シートフレームを車幅方向から挟むようにして上方へ突出して一対の上方拡張部が形成されていることを特徴とする請求項１に記載の自動二輪車。
【請求項３】
前記エアクリーナの前端部には、前記メインフレームを車幅方向から挟むようにして一対の前方拡張部が突出して形成されていることを特徴とする請求項１に記載の自動二輪車。
【請求項４】
前記吸気管は、前記メインフレームを車幅方向に挟んで一対が配置されていることを特徴とする請求項１に記載の自動二輪車。
【請求項５】
前記メインフレームの上方には、このメインフレームを跨いだ状態で燃料タンクが配置される一方、前記メインフレームの側面下部で燃料タンクより下位には、前記吸気管を接続ための吸気管接続部が車幅方向外方へ張り出して形成されていることを特徴とする請求項１に記載の自動二輪車。
【請求項６】
前記エンジンは、前側気筒と後側気筒とが車両の前後方向にＶ字状をなして配列されたＶ型エンジンであり、前記吸気ダクトは前記エンジンのＶバンク内に一対が垂下し、それぞれが前記前側気筒と前記後側気筒へ向けて屈曲して対応する気筒との接続がなされていることを特徴とする請求項１に記載の自動二輪車。
【請求項７】
前記メインフレームの上方には、このメインフレームを跨いだ状態で燃料タンクが配置される一方、前記メインフレームの両側面下部には、前記吸気ダクトを接続するための一対の吸気ダクト接続部が車幅方向外方へ張り出して形成されていることを特徴とする請求項６に記載の自動二輪車。
【考案の詳細な説明】
【技術分野】
【０００１】
本考案は自動二輪車に関する。
【背景技術】
【０００２】
従来、エンジンの後方にエアクリーナを配置した自動二輪車が知られている（下記特許文献１参照）。このような配置は、エアクリーナをエンジンの上方に配置すると、エンジンの熱によってエアクリーナ内に導入した空気が熱膨張して空気密度が小さくなり、エンジン出力の向上が図りにくくなってしまうことに対する配慮を行った結果である。
【０００３】
また、上記公報のものでは、エアクリーナからの空気を車両のフレーム構造を利用してエンジンに供給するようになっている。具体的には、エンジンの上方に配されたメインチューブに、中空材によって形成されたメインパイプを接続させ、同パイプをエンジンの後方を回り込みつつ下方へ延出させている。そして、メインパイプの下端開口にエアクリーナの出口側を接続させる一方で、メインパイプの前端側にコネクティングチューブを介してキャブレタと接続させるようにしている。かくして、エアクリーナにおいて浄化された空気はメインパイプ、コネクティングチューブ及びキャブレタを介してエンジン側へ混合気を供給するようになっている。
【先行技術文献】
【特許文献】
【０００４】
【特許文献１】実開昭６３−７７８８７号公報
【考案の概要】
【考案が解決しようとする課題】
【０００５】
上記公報のものにおける解決すべき課題を、図５（Ａ）に基づいて説明する。上記したように、エアクリーナ１００はメインパイプ１０１の下端の開口に接続されている。メインパイプ１０１の後端両側面には、このものもそうであるように、通常は一対のリアフレーム１０２の上端が接合されていることが多い。そうなると、同図に示すように、エアクリーナ１００は両リアフレーム１０２の間に位置することになり、両リアフレーム１０２の間隔内に収まるような寸法上の制約を受けて、エアクリーナ１００の容量の増大化に支障を来すこととなる。
【０００６】
本考案は上記のような事情に基づいて完成されたものであって、エアクリーナの容量の増大化を図ることができる自動二輪車を提供することを目的とする。
【課題を解決するための手段】
【０００７】
上記の目的を達成するための手段として、本考案は、ヘッドパイプから車両後下方に延出するメインフレームが、エアクリーナからエンジンに至るまでの吸気経路中に含まれる自動二輪車であって、メインフレーム内部に形成され、エンジン上方に位置するエアチャンバと、エアチャンバと前記エンジン側とを接続する吸気ダクトと、メインフレームのうちエンジン後方を下方に延びる部分の後方に配設されたエアクリーナと、エアクリーナからメインフレームの車幅方向外方を通ってエアチャンバと連通するよう配管された吸気管とを備えてなるところに特徴を有する。
【考案の効果】
【０００８】
本考案によれば、エアクリーナをメインフレームの後方に配置して、エアクリーナとエアチャンバとを連通させる吸気管をアッパフレームの車幅方向外方を通って配管するようにしている。このようにしてエアクリーナを配置すれば、エアクリーナはメインフレームの存在によって車幅方向への拡張が阻害されないから、エアクリーナの容量増大を図ることができる。
【図面の簡単な説明】
【０００９】
【図１】自動二輪車の側面図
【図２】車体フレーム全体を示す側面図
【図３】アッパフレームを下面側から見た斜視図
【図４】アッパフレームとエアクリーナとの配置関係を一部破断して示す平面図
【図５】（Ａ）は従来における車体フレームとエアクリーナとの接続状況を示す模式図、（Ｂ）は本発明における車体フレームとエアクリーナとの接続状況を示す模式図
【考案を実施するための形態】
【００１０】
＜実施形態１＞
本考案の実施形態１を図１ないし図５によって説明する。なお、以下の説明中、左右に関する称呼は、車両を前方から見た（車両前面視）場合の左右方向を基準とする。
【００１１】
図１において、１は自動二輪車全体を示しており、車体フレーム２の前端部にはハンドル軸４を回転可能に挿通するヘッドパイプ３が設けられている。ハンドル軸４の上下両端にはアッパ・ロアのブラケット５，６が取り付けられ、これらには一対のフロントフォーク７が挿通されている。両フロントフォーク７の下端部には前輪８が取り付けられており、前輪８はアッパブラケット５に固定されたハンドル９によって操舵可能である。
【００１２】
ヘッドパイプ３の後面下端部には、斜め下後方へ向けてダウンチューブ１０が延出している。ダウンチューブ１０は、ヘッドパイプ３に対する付け根部分から直ちに左右に分岐しており、下方へ行くに連れて相互の間隔が広がるようになっている。それぞれの下端部はエンジンユニットＥにおけるクランクケース１１の両側面の前端下部に連結されている。
【００１３】
なお、本実施形態におけるエンジンユニットＥは、クランクケース１１の上部に二つの気筒を前後に備えており、前側気筒１２と後側気筒１３とがＶ字型をなすいわゆる空冷式のＶ型エンジンである。
【００１４】
ヘッドパイプ３の上部は後方へ略水平に延出し、アッパフレーム１４となって後方へ延出している。アッパフレーム１４の後端部からはシート１５を支持するためのシートフレーム１６が後方へ向けて水平に延出している。アッパフレーム１４において、シートフレーム１６が接合されている部分のやや下方には、図３に示すように、車幅方向両側面に一対のリアアームブラケット１７の上端部が接合されている。両リアアームブラケット１７は下端へ行くに連れて徐々に拡開するように形成されている。両リアアームブラケット１７はアッパフレーム１４と共にメインフレームＭを構成する。
【００１５】
両リアアームブラケット１７の下端部寄りの位置には、上下にアッパとロアのブラケット１８，１９が前方へ向けて突設されている。両ブラケット１８，１９はクランクケース１１における左右両側面に連結されている。かくして、エンジンユニットＥは、ダウンチューブ１０とリアアームブラケット１７との間に架設された状態で全体の支持がなされている。
【００１６】
また、両リアアームブラケット１７の下端部には車幅方向に沿ってピボット軸２０が配されている。ピボット軸２０には後輪２１を支持するリアアーム２２が揺動可能に連結されている。
【００１７】
両リアアームブラケット１７における途中の高さ位置（アッパフレーム１４に対するシートフレーム１６の接合位置とピボット軸２０とのほぼ中間の高さ位置）と、シートフレーム１６の後端部との間には車幅方向に対向する一対のシートピラー２３が架設されている。両シートピラー２３の下端側（前端側）は対応するリアアームブラケット１７の後面に溶接によって接合されている。また、両リアアームブラケット１７においてシートピラー２３が接合されている部位の側面同士の間には、上部バー２４が車幅方向へ水平に架設されている。シートピラー２３は下方へ湾曲しつつ斜め上後方へ延びており、その上端同士は上方へアーチ状に湾曲するリアクロスメンバ２５によって連結されている。両シートピラー２３とリアアーム２２の後端部との間にはそれぞれショックアブソーバ２６が設けられている。
【００１８】
シートフレーム１６、両シートピラー２３及びリアアームブラケット１７とによって区画された空間はエアクリーナ２７を装着するための装着空間２８となっている。エアクリーナ２７はこの装着空間２８内においてブラケット等を介して固定された合成樹脂製のボックス本体２７Ａを有し、その内部にはエレメント２９（フィルター）が収容されている。ボックス本体２７Ａには、外気を導入するための導入口とエレメントを通過した清浄空気を導出する導出口（共に図示しない）が設けられている。ボックス本体２７Ａは、図４に示すように、装着空間２８から全高さ範囲が左右方向へはみ出す幅寸法をもって形成され、かつその上面における左右両端部はシートフレーム１６を車幅方向から挟むようにして一対の上方拡張部２７Ｂが上方へ向けて一体に膨出して形成されている。しかし、ボックス本体２７Ａにおける左右両側面の前端部は徐々に幅狭となるように形成されて運転者の脚との干渉が回避されるように図られている。また、ボックス本体２７Ａにおける前端部は左右に二股に分岐して一対の前方拡張部２７Ｃとなって膨出しており、アッパフレーム１４の後端部を車幅方向から挟んでいる。両前方拡張部２７Ｃの先端には円筒状に形成された吸気管３０がそれぞれ接続され、両吸気管３０は、アッパフレーム１４の一部を構成しその途中に組み込まれたサージパイプ３１に接続されている。
【００１９】
サージパイプ３１は金属材によって略角筒状に形成されるとともに、その前後に接続されるアッパフレーム１４の前後部１４Ａ，１４Ｂよりも幅広に形成されている。サージパイプ３１の内部には空気溜めとしてエアチャンバ３２が形成されている。サージパイプ３１における後端部の両側面下部には図３等に示すように、一対の吸気管接続部３３が車幅方向外方へ突出形成されている。両吸気管接続部３３における突出部分は、車両前後方向の幅が上方へ行くに連れて徐々に狭くなるような形状であり、サージパイプ３１の下端縁からほぼ半分の高さ範囲に亘って形成されている。両吸気管接続部３３は共にエアチャンバ３２へと連通しており、かつ共に円形の接続口３３Ａが下方へ向けて開口している。一方、前記したエアクリーナ２７の両吸気管３０は前端が上方へ向けて屈曲しており、それぞれ対応する接続口３３Ａに対して下方から嵌め入れられ、シール状態に保持されている。
【００２０】
サージパイプ３１の下面における長さ方向（車両前後方向）の中央部は、車幅方向の全幅に亘り高さ方向に抉られて切欠き部３４が形成されている。この切欠き部３４が形成された部分の左右両側面には一対の吸気ダクト接続部３５が車幅方向外方へ突出している。両吸気ダクト接続部３５は水平断面が略半円状をなすようにして突出しており、切欠き部３４の下端縁からサージパイプ３１の上縁に至るまでの高さ範囲に亘って形成されている。両吸気ダクト接続部３５はエアチャンバ３２内に連通し、下面には円形の嵌め入れ口３５Ａが開口しており、共に吸気ダクト３６の上端側が嵌め入れられている。
【００２１】
両吸気ダクト３６は、車幅方向に並列しつつ下方へ、つまりエンジンユニットＥにおけるＶバンク内へ向けて垂下するスロットルボディ３６Ａと、両スロットルボディ３６Ａから前後方向へ互い違いに屈曲する吸気パイプ３６Ｂとからなっている。両スロットルボディ３６Ａには共に内部に燃料を噴射するためのインジェクタ３７が装着されるとともに、両スロットルボディ３６Ａの内部には、インジェクタ３７よりも上流側にスロットルバルブ３８が配され、アクセル操作に伴って内部のエアー流路を同期して開閉可能である。吸気パイプ３６Ｂは前側気筒１２あるいは後側気筒１３のシリンダヘッドの吸気ポート側に接続され、同ポート側へ混合気を供給することができるようになっている。
【００２２】
上記したサージパイプ３１を含め、アッパフレーム１４の上部には同アッパフレーム１４を跨ぐようにして燃料タンク３９が配されている。すなわち、燃料タンク３９の下面は車幅方向中央部がほぼ全長に亘って凹ませてあり、アッパフレーム１４との干渉を回避するようにしてある。燃料タンク３９は後端へ行くにしたがって車幅方向の寸法が徐々に減じられるように形成され、運転者の脚との干渉が回避されている。また、燃料タンク３９の下縁は全長に亘ってほぼ水平に形成され、サージパイプ３１における前後部の下縁の高さ位置とほぼ等しくなるようにしてある。
【００２３】
本実施形態は上記のように構成されたものである。本実施形態のエアクリーナ２７は、図５（Ｂ）に示すように、アッパフレーム１４と両リアアームブラケット１７との接合部分の後方に配されている。また、アッパフレーム１４のサージパイプ３１に対してはアッパフレーム１４を挟むようにして、同フレーム１４を車幅方向外側を回り込んで配管された吸気管３０によって接続するようにしている。これらのことによって、従来とは異なり、エアクリーナ２７の幅寸法が両リアアームブラケット１７の幅寸法内に制約されてしまうことがない。したがって、エアクリーナ２７の容量を増大化させることができる。
【００２４】
本実施形態からは、以下のような特徴的な構成が見出される。
【００２５】
（１）メインフレームＭ（アッパフレーム１４）の後端部には、エアクリーナ２７の上方をシートフレーム１６が後方へ向けて延出する一方、エアクリーナ２７の上面部における車幅方向両側部は、シートフレーム１６を車幅方向から挟むようにして上方へ突出して一対の上方拡張部２７Ｂが形成されている。
このような構成によれば、エアクリーナ２７の車幅方向両側部をシートフレーム１６との干渉を避けつつ上方へ突出させて上方拡張部２７Ｂを形成するようにしたから、両拡張部２７Ｂによってエアクリーナ２７の容量増大が図られる。
【００２６】
（２）エアクリーナ２７の前端部には、メインフレームＭ（リアアームブラケット１７）を車幅方向から挟むようにして一対の前方拡張部２７Ｃが突出して形成されている。
このような構成によれば、両前方拡張部２７Ｃを形成したことによってエアクリーナ２７の容量を増大化させることができる。
【００２７】
（３）吸気管３０は、メインフレームＭ（アッパフレーム１４）を車幅方向に挟んで一対が配置されている。
【００２８】
このような構成によれば、吸気管３０が左右に分離して配されるため、各吸気管３０を細くすることができる。これとは逆に、吸気管３０をメインフレームＭ（アッパフレーム１４）の左右いずれか片側に集約して配管すると吸気管３０が太くなってしまう。その点、左右に分離した吸気管３０であれば、車幅方向への出っ張りが抑制され、運転者の脚と干渉する事態を解消することができる。
【００２９】
（４）メインフレームＭ（アッパフレーム１４）の上方には、このメインフレームＭ（アッパフレーム１４）を跨いだ状態で燃料タンク３９が配置される一方、メインフレームＭ（アッパフレーム１４）の側面下部で燃料タンク３９より下位には、吸気管３０を接続ための吸気管接続部３３が車幅方向外方へ張り出して形成されている。
【００３０】
このような構成においては、メインフレームＭ（アッパフレーム１４）は吸気管３０との接続のため部位を局部的に車幅方向に拡張させて、メインフレームＭ（アッパフレーム１４）全体の幅寸法が増大しないようにしている。メインフレームＭ（アッパフレーム１４）の幅寸法が増大すると、その分だけ燃料タンク３９は干渉回避のためにタンク容量が小さくなってしまうが、本実施形態では吸気管３０との接続に伴ってメインフレームＭ（アッパフレーム１４）全体が増幅してしまうことがないため、燃料タンク３９の容量が確保される。
【００３１】
（５）エンジンは、前側気筒１２と後側気筒１３とが車両の前後方向にＶ字状をなして配列されたＶ型エンジンであり、吸気ダクト３６はエンジンのＶバンク内に一対が垂下し、それぞれが前側気筒１２と後側気筒１３へ向けて屈曲して対応する気筒との接続がなされている。
Ｖ型エンジンは一般に大排気量のエンジンであり、とりわけ大容量のエアクリーナ２７が望まれることから、本考案により受ける利益は大きい。
【００３２】
（６）（５）において、メインフレームＭ（アッパフレーム１４）の上方には、このメインフレームＭ（アッパフレーム１４）を跨いだ状態で燃料タンク３９が配置される一方、メインフレームＭ（アッパフレーム１４）の両側面下部には、吸気ダクト３６を接続するための一対の吸気ダクト接続部３５が車幅方向外方へ張り出して形成されている。
【００３３】
このような構成によれば、メインフレームＭ（アッパフレーム１４）は両吸気ダクト３６との接続のための部位を局部的に車幅方向に拡張させることで、メインフレームＭ（アッパフレーム１４）全体が拡幅してしまわないようにしている。したがって、燃料タンクの容量確保に寄与することができる。
【００３４】
＜他の実施形態＞
本考案は上記記述及び図面によって説明した実施形態に限定されるものではなく、例えば次のような実施形態も本考案の技術的範囲に含まれ、さらに、下記以外にも要旨を逸脱しない範囲内で種々変更して実施することができる。
【００３５】
（１）本実施形態では、Ｖ型エンジンを搭載した自動二輪車を示したが、単気筒エンジンであってもよく、エンジンの形式は限定されるべきものではない。
【００３６】
（２）本実施形態はリアアームブラケット１７が二本によって構成される形式を示したが、一本で構成されるものであってもよい。
【００３７】
（３）本実施形態では、アッパフレーム１４中に別体のサージパイプ３１を組み込むようにしたが、アッパフレーム１４としてはサージパイプ３１部分も含めて一体に形成されたものであってもよい。
【００３８】
（４）本実施形態では、燃料の供給方式としてインジェクションによる方式を示したが、キャブレター方式であってもよい。
（５）本実施形態では、メインフレームＭをアッパフレーム１４とリアアームブラケット１７とを別体にし、両者を接合した構成としたが、これらを一体に形成してもよい。
【符号の説明】
【００３９】
２…車体フレーム
１２…前側気筒
１３…後側気筒
１４…アッパフレーム
１５…シート
１６…シートフレーム
１７…リアアームブラケット
２７…エアクリーナ
２７Ａ…上方拡張部
２７Ｂ…前方拡張部
３０…吸気管
３２…エアチャンバ
３３…吸気管接続部
３５…吸気ダクト
３９…燃料タンク
Ｍ…メインフレーム
【図１】
0003158666.tif 000003
【図２】
0003158666.tif 000004
【図３】
0003158666.tif 000005
【図４】
0003158666.tif 000006
【図５】
0003158666.tif 000007
【手続補正書】
【提出日】平成22年2月9日(2010.2.9)
【手続補正１】
【補正対象書類名】実用新案登録請求の範囲
【補正対象項目名】全文
【補正方法】変更
【補正の内容】
【実用新案登録請求の範囲】
【請求項１】
ヘッドパイプから車両後下方に延出するメインフレームが、エアクリーナからエンジンに至るまでの吸気経路中に含まれる自動二輪車であって、
前記メインフレーム内部に形成され、エンジン上方に位置するエアチャンバと、
前記エアチャンバと前記エンジン側とを接続する吸気ダクトと、
前記メインフレームのうち前記エンジン後方を下方に延びる部分の後方に配設されたエアクリーナと、
前記エアクリーナから、前記メインフレームの車幅方向外方を通って前記エアチャンバと連通するよう配管された吸気管とを備えてなることを特徴とする自動二輪車。
【請求項２】
前記メインフレームの後端部には、前記エアクリーナの上方をシートフレームが後方へ向けて延出する一方、
前記エアクリーナの上面部における車幅方向両側部は、前記シートフレームを車幅方向から挟むようにして上方へ突出して一対の上方拡張部が形成されていることを特徴とする請求項１に記載の自動二輪車。
【請求項３】
前記エアクリーナの前端部には、前記メインフレームを車幅方向から挟むようにして一対の前方拡張部が突出して形成されていることを特徴とする請求項１に記載の自動二輪車。
【請求項４】
前記吸気管は、前記メインフレームを車幅方向に挟んで一対が配置されていることを特徴とする請求項１に記載の自動二輪車。
【請求項５】
前記メインフレームの上方には、このメインフレームを跨いだ状態で燃料タンクが配置される一方、前記メインフレームの側面下部で燃料タンクより下位には、前記吸気管を接続ための吸気管接続部が車幅方向外方へ張り出して形成されていることを特徴とする請求項１に記載の自動二輪車。
【請求項６】
前記エンジンは、前側気筒と後側気筒とが車両の前後方向にＶ字状をなして配列されたＶ型エンジンであり、前記吸気ダクトは前記エンジンのＶバンク内に一対が垂下し、それぞれが前記前側気筒と前記後側気筒へ向けて屈曲して対応する気筒との接続がなされていることを特徴とする請求項１に記載の自動二輪車。
【請求項７】
前記メインフレームの上方には、このメインフレームを跨いだ状態で燃料タンクが配置される一方、前記メインフレームの両側面下部には、前記吸気ダクトを接続するための一対の吸気ダクト接続部が車幅方向外方へ張り出して形成されていることを特徴とする請求項６に記載の自動二輪車。